(57)【特許請求の範囲】
【請求項１】
表面に半導体素子が取り付けられ、内部に冷却液の流れる流路が形成されるとともに、前記表面と対向する背面に供給口および排出口が配置された冷却体と、
該供給口を介して前記冷却体に接続し、前記冷却液を前記冷却体の内部へ供給する供給配管と、
前記排出口を介して前記冷却体に接続し、前記冷却液を前記冷却体の外部へ排出する排出配管とを備え、
前記排出口が、前記冷却体の背面の上方側に配置されることを特徴とする電力変換装置。
【請求項２】
請求項１に記載の電力変換装置であって、
前記冷却体が角板状であり、
前記排出口が、前記冷却体の背面の上方側の角部近傍に配置されていることを特徴とする電力変換装置。
【請求項３】
請求項１ないし請求項２のいずれか１項に記載の電力変換装置であって、
前記供給口が、前記冷却体の背面の下方側に配置されることを特徴とする電力変換装置。
【請求項４】
請求項３に記載の電力変換装置であって、
前記冷却体が角板状であり、
前記供給口が、前記冷却体の背面の下方側の角部近傍に配置されていることを特徴とする電力変換装置。
【請求項５】
請求項１ないし請求項４のいずれか１項に記載の電力変換装置であって、
前記供給配管が、前記冷却体に離隔して設けられた供給用主配管と、該供給用主配管から前記供給口までを接続する供給用分岐配管とから構成され、
前記排出配管が、前記冷却体に離隔して設けられた排出用主配管と、該排出用主配管から前記排出口までを接続する排出用分岐配管とから構成され、
前記排出用分岐配管の距離が、前記排出口から前記供給用主配管までの距離よりも長く設定されていることを特徴とする電力変換装置。
【請求項６】
請求項１ないし請求項４に記載の電力変換装置であって、
前記供給配管が、前記冷却体に離隔して設けられた供給用主配管と、該供給用主配管から前記供給口までを接続する供給用分岐配管とから構成され、
前記排出配管が、前記冷却体に離隔して設けられた排出用主配管と、該排出用主配管から前記排出口までを接続する排出用分岐配管とから構成され、
前記排出用分岐配管の距離が、前記排出口から前記供給用主配管までの距離よりも長く設定されており、
前記供給用分岐配管の距離が、前記供給口から前記排出用主配管までの距離よりも長く設定されていることを特徴とする電力変換装置。
【請求項７】
請求項５または請求項６のいずれかに記載の電力変換装置であって、
前記供給用分岐配管および前記排出用分岐配管が、フレキシブル配管であることを特徴とする電力変換装置。
【請求項８】
請求項５または請求項６のいずれかに記載の電力変換装置であって、
前記供給用主配管および前記排出用主配管が、前記冷却体の中心位置の近傍に配置されていることを特徴とする電力変換装置。
【請求項９】
請求項１乃至８のいずれか１項に記載の電力変換装置であって、
前記電力変換装置が多相の電力変換装置であり、
前記半導体素子が相ごとに分かれて複数の前記冷却体にそれぞれ取り付けられ、
異なる相の前記半導体素子を取り付けた複数の前記冷却体が、直列に配管接続されていることを特徴とする電力変換装置。
【発明の詳細な説明】
【技術分野】
【０００１】
本発明は電力変換装置に関するものであり、特にその冷却構造に関する。
【背景技術】
【０００２】
一般に、交流を直流に変換するコンバータや直流を交流に変換するインバータなどの電力変換装置は、交流電動機を駆動するために用いられる。特に、近年、このような電力変換装置は大容量化している。そのため、発熱増大などに対応するため、冷却方式として水冷方式が採用されている（例えば、特許文献１）。
【０００３】
ここで、図６および図７により、従来の水冷方式の電力変換装置の冷却構造を説明する。
図６は、従来の電力変換装置の正面側斜視図である。図７は、従来の電力変換装置の背面側斜視図である。１０１は半導体スイッチング素子、１０２は冷却体、１０３は主配管（給水側）、１０４は主配管（排水側）、１０５は分岐配管（給水側）、１０６は分岐配管（排水側）、１０７は給水口、１０８は排水口である。
【０００４】
従来の水冷方式の電力変換装置の構成を説明する。
図６において、２つの半導体スイッチング素子１０１が、１つの板状の冷却体１０２に固定されている。冷却体１０２の両側には、主配管（給水側）１０３と主配管（排水側）１０４が配置されている。主配管（給水側）１０３と冷却体１０２とは、分岐配管（給水側）１０５で接続されている。同様に、主配管（排水側）１０４と冷却体１０２とは、分岐配管（排水側）１０６で接続されている。なお、冷却体１０２は、軸方向に直列に複数配置されている。
【０００５】
図７において、冷却体１０２と分岐配管（給水側）１０５とは、冷却体１０２の背面側に設けられた給水口１０７を介して接続されている。同様に、冷却体１０２と分岐配管（排水側）１０６とは、冷却体１０２の背面側に設けられた排水口１０８を介して接続されている。
【０００６】
なお、冷却体２の背面側に配置されている給水口１０７および排水口１０８は、各主配管の近傍であって、軸方向の中央付近に配置されている。
次に、従来の水冷方式の電力変換装置の動作を説明する。
【０００７】
図６および図７において、例えば冷却水が、主配管（給水側）１０３の内部を流れる。そして、冷却水は、分岐配管（給水側）１０５を通り、給水口１０７を介して冷却体１０２の内部に流入する。
【０００８】
このとき、冷却体１０２の内部を冷却水が通過することにより、冷却体１０２に固定された半導体スイッチング素子１０１が冷却される。そして、冷却体１０２の内部を通過した冷却水は、排水口１０８を介して、分岐配管（排水側１０６）を通って、主配管（排水側）１０４へ排出される。
【０００９】
以上が、従来の水冷方式の電力変換装置の冷却構造の説明である。
【先行技術文献】
【特許文献】
【００１０】
【特許文献１】特開２００５−１１７８２９号公報
【発明の概要】
【発明が解決しようとする課題】
【００１１】
このような従来の水冷方式の電力変換装置の冷却構造には、以下のような課題があった。
従来の電力変換装置では、例えば冷却水の循環運転時において、冷却体１０２の固定方向によっては、冷却体１０２の内部に気泡が残留しやすいという問題があった。
【００１２】
この問題を、図８により説明する。図８は、従来の水冷方式の電力変換装置の冷却体の背面側の内部図（その１）である。
図８のとおり、冷却体１０２の内部では、給水口１０７から排水口１０８へ向けて冷却水が内部を流通する。このとき、冷却体の内部では、上側に気泡が残留しやすい。気泡が残留すると、残留部分の熱伝導率が極端に悪化してしまう。そのため、半導体スイッチング素子１０１を十分に冷却することができず、半導体スイッチング素子１０１を破損させるおそれがあった。
【００１３】
また、従来の電力変換装置では、例えばメンテナンス時に水を抜く際に、冷却体１０２の固定方向によっては、冷却体１０２の内部の下側に冷却水が残留しやすいという問題があった。
【００１４】
この問題を、図９により説明する。図９は、従来の水冷方式の電力変換装置の冷却体の背面側の内部図（その２）である。
図９のとおり、メンテナンス時に水を抜くときに、冷却体１０２の内部では、下側に冷却水が残留しやすい。冷却水が残留すると、周囲の機器に冷却水がかかって破損させてしまうおそれがある。また、残留した冷却水の水質が悪化することにより、冷却体１０２の腐食が生じるというおそれもあった。
【００１５】
さらに、例えば氷点下の環境などにおいて、残留した冷却水の凍結が生じると、冷却体が破損してしまうおそれもあった。
そのほか、従来の電力変換装置では、各分岐配管として例えばフレキシブル配管を使用する場合において、主配管（給水側）１０３と給水口１０７との間、そして、主配管（排水側）１０４と排水口１０８との間のそれぞれの距離が短いため、組み立て性がよくないという問題があった。
【００１６】
具体的には、フレキシブル配管は縮む量が少ないため、例えば２点間への後付けなどが困難になる。そのため、組み立て時において、組み立て誤差および吸収量が小さくなってしまう。従って、フレキシブル配管を過度に縮ませながら組み立てるざるを得なくなってしまい、配管系のどこかに無理な力がかかるような事態が生じてしまう。また、組み立て順序にも制約ができてしまう。そのほか、メンテナンスや分解、交換作業も容易ではない。
【００１７】
さらに、従来の電力変換装置には、冷却体１０２の両側に各主配管が配置されているため、全体の幅寸法が大きくなってしまうという問題もあった。
そこで、本発明は、上記の課題を解決するために、電力変換装置の冷却構造の性能低下や劣化の防止を目的とする。
【課題を解決するための手段】
【００１８】
上記の目的を達成するために、本発明の一の形態に係る電力変換装置は、表面に半導体素子が取り付けられ、内部に冷却液の流れる流路が形成されるとともに、前記表面と対向する背面に供給口および排出口が配置された冷却体と、該供給口を介して前記冷却体に接続し、前記冷却液を前記冷却体の内部へ供給する供給配管と、前記排出口を介して前記冷却体に接続し、前記冷却液を前記冷却体の外部へ排出する排出配管とを備え、前記排出口が、前記冷却体の背面の上方側に配置されるようにしたことを特徴としている。
【００１９】
また、本発明の他の形態に係る電力変換装置は、前記冷却体が角板状であり、前記排出口が、前記冷却体の背面の上方側の角部近傍に配置されていることを特徴としている。
【００２０】
また、本発明の他の形態に係る電力変換装置は、前記供給口が、前記冷却体の背面の下方側に配置されることを特徴としている。
また、本発明の他の形態に係る電力変換装置は、前記冷却体が角板状であり、前記供給口が、前記冷却体の背面の下方側の角部近傍に配置されていることを特徴としている。
【００２１】
また、本発明の他の形態に係る電力変換装置は、前記供給配管が、前記冷却体に離隔して設けられた供給用主配管と、該供給用主配管から前記供給口までを接続する供給用分岐配管とから構成され、前記排出配管が、前記冷却体に離隔して設けられた排出用主配管と、該排出用主配管から前記排出口までを接続する排出用分岐配管とから構成され、前記排出用分岐配管の距離が、前記排出口から前記供給用主配管までの距離よりも長く設定されていることを特徴としている。
【００２２】
また、本発明の他の形態に係る電力変換装置は、前記供給配管が、前記冷却体に離隔して設けられた供給用主配管と、該供給用主配管から前記供給口までを接続する供給用分岐配管とから構成され、前記排出配管が、前記冷却体に離隔して設けられた排出用主配管と、該排出用主配管から前記排出口までを接続する排出用分岐配管とから構成され、前記排出用分岐配管の距離が、前記排出口から前記供給用主配管までの距離よりも長く設定されており、前記供給用分岐配管の距離が、前記供給口から前記排出用主配管までの距離よりも長く設定されていることを特徴としている。
【００２３】
また、本発明の他の形態に係る電力変換装置は、前記排出用分岐配管が、フレキシブル配管であることを特徴としている。
また、本発明の他の形態に係る電力変換装置は、前記供給用分岐配管および前記排出用分岐配管が、フレキシブル配管であることを特徴としている。
【００２４】
また、本発明の他の形態に係る電力変換装置は、前記供給用主配管および前記排出用主配管が、前記冷却体の中心位置の近傍に配置されていることを特徴としている。
また、本発明の他の形態に係る電力変換装置は、前記電力変換装置が多相の電力変換装置であり、前記半導体素子が相ごとに分かれて複数の前記冷却体にそれぞれ取り付けられ、異なる相の前記半導体素子を取り付けた複数の前記冷却体が、直列に配管接続されていることを特徴としている。
【発明の効果】
【００２５】
本発明により、電力変換装置の冷却構造の性能低下や劣化の防止を実現することができる。
【図面の簡単な説明】
【００２６】
【図１】本発明の第１の実施例の電力変換装置の正面側の斜視図である。
【図２】本発明の第１の実施例の電力変換装置の背面側の斜視図である。
【図３】本発明の第１の実施例の電力変換装置の冷却体の背面側の内部図（その１）である。
【図４】本発明の第１の実施例の電力変換装置の冷却体の背面側の内部図（その２）である。
【図５】本発明の第２の実施例の電力変換装置の冷却体の背面側の内部図である。
【図６】従来の電力変換装置の正面側斜視図である。
【図７】従来の電力変換装置の背面側斜視図である。
【図８】従来の水冷方式の電力変換装置の冷却体の背面側の内部図（その１）である。
【図９】従来の水冷方式の電力変換装置の冷却体の背面側の内部図（その２）である。
【発明を実施するための形態】
【００２７】
以下に、図面を参照しながら、本発明の実施の形態について説明する。ただし、以下の記載は、あくまでも本発明の例示であり、これに限定されるものではない。つまり、当分野で通常の知識を有する者によって、本発明の技術的思想内で多くの変形実施を行うことが可能である。
【実施例】
【００２８】
最初に、図１および図２により、本発明の第１の実施例の電力変換装置の構成を説明する。
図１は、本発明の第１の実施例の電力変換装置の正面側の斜視図である。図２は、その背面側の斜視図である。１は半導体スイッチング素子、２は冷却体、３は主配管（給水側）、４は主配管（排水側）、５は分岐配管（給水側）、６は分岐配管（排水側）、７は給水口、８は排水口である。
【００２９】
図１により、電力変換装置の正面側を説明する。
図１では、２つの半導体スイッチング素子１が、１つの板状の冷却体２に固定されている。冷却体２の背面側の中央付近には、主配管（給水側）３と主配管（排水側）４が、冷却体２とは離隔して配置されている。主配管（給水側）３および主配管（排水側）４と冷却体２とは、背面側で分岐配管により接続されているが、この点は後述する。また、冷却体２は、軸方向に直列に複数配置されている。それぞれの冷却体２は、同様に、背面側で分岐配管により冷却体２に接続されている。
【００３０】
冷却体２としては、例えば水冷冷却体を使用することができる。この場合、冷却体２の内部には、冷却水を流通させる空間（冷媒流路）が形成されている。
全体構成としては、冷却水の給水が向かう方向が下方、排水が向かう方向が上方となるように設置されている。そして、上方側にはポンプ（図示しない）が設置されている。ポンプは、主配管（給水側）３および主配管（排水側）４と接続されている。このポンプの働きにより、冷却水が、各主配管の内部を上述した方向に循環させられる。
【００３１】
また、主配管（給水側）３および主配管（排水側）４のそれぞれの配管上（例えば下方側）には、メンテナンス時等に水抜きを行うことのできる水抜き栓（図示しない）が設けられている。
【００３２】
図２により、電力変換装置の背面側を説明する。
図２では、冷却体２と主配管（給水側）３とは、給水口７を介して、分岐配管（給水側）５により接続されている。同様に、冷却体２と主配管（排水側）４とは、排水口８を介して、分岐配管（排水側）６により接続されている。
【００３３】
給水口７は、冷却体２の背面側の下側の角部の近傍に配置されている。排水口は、冷却体２の背面側の上側の角部の近傍に配置されている。
さらに、給水口７は、主配管（排水側）４を挟むようにして、主配管（給水側）３と接続されている。この接続には、分岐配管（給水側）５が用いられている。なお、分岐配管（給水側）５は、主配管（排水側）４の裏側を通って、給水口７に接続している。
【００３４】
一方、排水口８は、主配管（給水側）３を挟むようにして、主配管（排水側）４と接続されている。この接続には、分岐配管（排水側）６が用いられている。なお、分岐配管（排水側）６は、主配管（給水側）の裏側を通って、排水口８に接続している。
【００３５】
分岐配管（給水側）５および分岐配管（排水側）６としては、例えばフレキシブル配管を用いることができる。なお、フレキシブル配管の材質としては、例えばステンレス（ＳＵＳ）、アルミニウム、銅、ゴムなどを用いることができる。
【００３６】
ここで、主配管（給水側）３および主配管（排水側）４は、冷却体２の中心位置の近傍に並列して配置されている。
なお、給水口７と主配管（給水側）３とは、主配管（排水側）４を挟むようにして接続されている。すなわち、給水口７から距離が遠い方の主配管を、主配管（給水側）３として給水口７と接続している。そのため、この接続に使用される分岐配管（給水側）５の長さは、従来例と比較すると長くなっている。
【００３７】
同様に、排水口８と主配管（排水側）４とは、主配管（給水側）３を挟むようにして接続されている。すなわち、排水口８から距離が遠い方の主配管を、主配管（排水側）４として排水口８と接続している。そのため、この接続に使用される分岐配管（排水側）６の長さは、従来例と比較すると長くなっている。
【００３８】
続いて、同じく図１および図２により、本発明の第１の実施例の電力変換装置の動作を説明する。
図１および図２では、図示しないポンプから、冷却水が主配管（給水側）３の内部を通って強制的に送られてくる。そして、送られてきた冷却水は、分岐配管（給水側）５から、給水口７を介して、冷却体２の内部に流入する。
【００３９】
冷却体２の内部に流入した冷却水は、その内部の流路を通ることにより、冷却体２の内部を通過する。このとき、冷却体２の外部に固定された半導体スイッチング素子１より発生する熱損失は、冷却体２の表面を介して、冷却体２の内部の流路を強制的に流れる冷却水に熱伝達される。これにより、半導体スイッチング素子１を冷却して、その温度上昇を抑制することができる。
【００４０】
そして、冷却体２の内部を通過した冷却水は、排水口８を介して、分岐配管（排水側）６を通って、主配管（排水側）４へ排出される。
以上が、本発明の第１の実施例の電力変換装置の構成および動作の説明である。
【００４１】
かくして、本発明の第１の実施例によれば、排水口８が、冷却体２の背面側の上側に設けられているため、気泡を排水口８を通じて冷却体２の内部から外部へ排出することで、内部に気泡が残留しにくくすることができる。
【００４２】
この効果について、図３を用いて詳細に説明する。
図３は、本発明の第１の実施例の電力変換装置の冷却体の背面側の内部図（その１）である。図３のとおり、冷却水の循環運動時において、冷却体２の内部では、給水口７から排水口８へ向けて冷却水が流路を流れる。このとき、冷却水の通過に伴って発生する気泡が、上側に残留しやすい。しかし、排水口８が上側に形成されているため、気泡を、排水口８を通じて外部へ排出することができる。
【００４３】
このように、冷却体２内で発生する気泡を取り除くことで、冷却水の循環運転時において、冷却体２内に気泡のない冷却水を供給し続けることができる。
従って、冷却体２の内部に気泡が残留することで生じる残留部分の熱伝導率の悪化を抑制することができる。そのため、半導体スイッチング素子１の冷却効率の悪化も防止することができる。
【００４４】
また、本発明の第１の実施例によれば、給水口７が、冷却体２の背面側の下側に設けられているため、例えばメンテナンス時に冷却水を抜く際に、冷却水を、給水口７を通じて冷却体２の内部から外部へ排出することで、内部に冷却水が残留しにくくすることができる。
【００４５】
この効果について、図４を用いて詳細に説明する。
図４は、本発明の第１の実施例の電力変換装置の冷却体の背面側の内部図（その２）である。図４のとおり、冷却水のメンテナンス時などにおいて、冷却体２の内部では、下側から冷却水が抜かれる。このとき、下側に残留しやすい。しかし、給水口７が下側に形成されているため、冷却水を、給水口７を通じて外部へ排出することができる。
【００４６】
このように、メンテナンス時などにおいて、冷却体２内の冷却水を残留しにくくすることで、周囲の機器に冷却水がかかるおそれや、残留した冷却水の水質悪化による冷却体２の腐食などを防止することができる。
【００４７】
また、残留した冷却水の凍結による冷却体２の破損も防止することができる。
そのほか、本発明の第１の実施例によれば、冷却体２の背面側の中央付近に、主配管（給水側）３と主配管（排水側）４が配置されているため、全体としての幅寸法を小さくできる。そのため、電力変換装置の小型化を図ることができる。
【００４８】
さらに、本発明の第１の実施例によれば、給水口７と主配管（給水側）３との間の距離（＝分岐配管（給水側）５の長さ）を、給水口７から主配管（排水側）４までの距離よりも長く設定することができる。また、排水口８と主配管（排水側）４との間の距離（＝分岐配管（排水側）６の長さ）を、排水口８から主配管（給水側）３までの距離よりも長く設定することができる。そのため、各分岐配管５および６として、例えばフレキシブル配管を使用する場合において、組み立て性を向上させることができる。
【００４９】
つまり、通常、フレキシブル配管は縮む量が少ない。しかし、第１の実施例では、給水口７と主配管（給水側）３との間の距離、そして、排水口８と主配管（排水側）４との間の距離のそれぞれが長く設定されているため、フレキシブル配管を使用した場合でも、例えば２点間への後付けなどを容易にすることができる。従って、組み立て誤差および吸収量を大きくすることができるため、フレキシブル配管を過度に縮ませながら組み立てる必要もなくなり、配管系に無理な力がかかるような事態も防止することができる。また、組み立て順序にも制約を受けない。さらに、メンテナンスや分解、交換作業も容易にすることができる。
【００５０】
そのほか、本発明の第１の実施例によれば、冷却体２の背面側の中央付近（つまり、冷却体２の中心位置の近傍）に、主配管（給水側）３および主配管（排水側）４が配置されているため、全体としての幅寸法を小さくすることができる。従って、電力変換装置の小型化を図ることができる。
【００５１】
以上が、本発明の第１の実施例の効果である。
次に、図５により、本発明の第２の実施例の電力変換装置の構成を説明する。図５は、本発明の第２の実施例の電力変換装置の冷却体の背面側の内部図である。
【００５２】
第２の実施例の電力変換装置は、正面側の構成は第１の実施例と共通である。背面側も、冷却体２の中央付近に、主配管（給水側）３と主配管（排水側）４配置されている点は共通である。また、給水口７の位置も第１の実施例と同様である。そのほかの構成も特に示していないものは、第１の実施例と共通である。
【００５３】
しかし、排水口８の位置が第１の実施例とは異なる。ここでは、給水口７の軸方向の延長上に、排水口８が形成されている。また、冷却体２の内部には、冷却水の流路として、下側から上側へ流通させるための上下二段の流路が形成されている点も、第１の実施例とは異なる。ここで、下段の流路には給水口７が設けられており、上段の流路には排水口８が設けられている。
【００５４】
続いて、同じく図５により、本発明の第２の実施例の電力変換装置の動作を説明する。
第２の実施例の電力変換装置は、基本的な動作は第１の実施例と共通であるが、冷却体２の内部における冷却水の流れが異なる。給水口７から冷却体２の内部へ流入した冷却水は、内部に形成された下段の流路を通過した後、上段の流路を通過して、排水口８に至る。そして、排水口８から配管へ進むことにより、冷却水の循環運転が行われる。
【００５５】
以上が、本発明の第２の実施例の電力変換装置の構成および動作の説明である。
かくして、本発明の第２の実施例によれば、排水口８が、冷却体２の背面側の上側に設けられているため、気泡を、排水口８を通じて冷却体２の内部から外部へ排出することで、内部に気泡が残留しにくくすることができる。
【００５６】
また、本発明の第２の実施例によれば、給水口７が、冷却体２の背面側の下側に設けられているため、例えばメンテナンス時に冷却水を抜く際に、冷却水を給水口７を通じて冷却体２の内部から外部へ排出することで、内部に冷却水が残留しにくくすることができる。
【００５７】
以上が、本発明の第２の実施例の効果である。
なお、上記の第１および第２の実施例では、給水口７を下側に設置しているが、これに限定されない。反対に、排水口８を下側に設置した場合であっても、メンテナンス時に、排水口を通じて冷却水を排出することで、冷却体２の内部に冷却水が残留しにくくすることができる。
【００５８】
また、上記の第１および第２の実施例では、給水口７および排水口８はそれぞれ角部の近傍に設置されているが、これに限定されない。排水口８は、気泡を外部へ排出できる程度に、冷却体２の内部の上側に配置されていればよい。給水口７は、冷却水を外部へ排出できる程度に、冷却体２の内部の下側に配置されていればよい。
【００５９】
なお、上記の第１および第２の実施例では、給水口７から主配管（給水側）３までの距離と、排水口８から主配管（排水側）４までの距離が、ともに長く設定されている。しかし、どちらか一方の距離だけを長く設定した場合であっても、その分、組み立て性を向上させることができる。
【００６０】
そのほか、上記の第１および第２の実施例では、主配管（給水側）３と主配管（排水側）４を、冷却体２の中央付近に配置している。しかし、従来例どおり、主配管（給水側）３と主配管（排水側）４を冷却体２の両側に配置して、給水口７と排水口８の位置を従来例と反対にしてもよい。つまり、主配管（給水側）３から遠い位置に給水口７を設置し、主配管（排水側）４から遠い位置に排水口８を設置する。これにより、主配管（給水側）３から給水口７までの距離を長くすることができる。また、主配管（排水側）４から排水口８までの距離も長くすることができる。
【００６１】
また、上記の第１および第２の実施例では、全体構成として、冷却水の給水が向かう方向が下側、排水が向かう方向が上側となるように、ポンプが上側に設置されている。しかし、冷却水を循環させるポンプの設置は上側に限定されない。冷却水を循環させることができる位置であればよい。また、冷却水の給水および排水が向かう方向も、第１および２の実施例とは逆方向でもよい。
【００６２】
なお、上記の第１および第２の実施例では、冷却体２として、水冷冷却体を使用したが、これに限定されるものではない。その他の冷媒を冷却液として使用する冷却体を使用することができる。
【００６３】
さらに、上記の第１および第２の実施例では、各分岐配管として、フレキシブル配管を使用したが、これに限定されるものではない。フレキシブル配管のように伸縮が可能な材質を有するものであれば使用することができる。
【００６４】
そのほか、上記の第１および第２の実施例において、冷却体２は矩形状である。しかし、冷却体２の形状は矩形状に限定される必要はない。正方形状でも略円柱などの形状であってもよい。
【００６５】
また、半導体スイッチング素子１を相ごとに分けて別々の冷却体２に取り付け、各主配管は各冷却体２の相ごとに接続し、各冷却体２を直列に接続することもできる。具体的には、冷却体２に取り付けられた半導体スイッチング素子１を、上方から下方へ順番に、Ｕ相、Ｖ相、Ｗ相とする。この場合には、各主配管を相ごとに直列に接続することができるため、配管の簡素化を図ることができる。
【００６６】
さらに、上下の配置は、図１および図２とは逆の上下配置でも構わない。さらに、完全な上下配置ではなく、斜め要素を含んでいても、本発明の作用が発揮できる程度に上下構成が実現されていればよい。
【００６７】
なお、上記の第１および第２の実施例において、冷却対象は半導体スイッチング素子１であるが、これに限定されるものではない。半導体スイッチング素子以外でも、半導体スイッチング素子で変換した電流を平滑するコンデンサや、コンデンサの電圧バランスを取るための抵抗、半導体スイッチング素子のサージ電圧を抑制するためのコンデンサや抵抗や、その他リアクトル、基板などを冷却対象とすることもできる。
【００６８】
そのほか、上記の第１および第２の実施例において、給水口７および排水口８は、半導体スイッチング素子１が取り付けられた外面（正面）とは反対側の面（背面）に設けられているが、これに限定されるものではない。可能であれば、給水口７および排水口８は、正面に設けられていてもよい。
【００６９】
さらに、上記の第１および第２の実施例において、主配管（給水側）３、主配管（排水側）４、分岐配管（給水側）５、分岐配管（排水側）６は筒状の配管であるが、この形状に限定されるものではない。これらの配管の形状は、板状などの筒状以外の形状であってもよい。
【符号の説明】
【００７０】
１          半導体スイッチング素子
２          冷却体
３          主配管（給水側）
４          主配管（排水側）
５          分岐配管（給水側）    
６          分岐配管（排水側）
７          給水口
８          排水口
【図１】
0005817376.tif 000002
【図２】
0005817376.tif 000003
【図３】
0005817376.tif 000004
【図４】
0005817376.tif 000005
【図５】
0005817376.tif 000006
【図６】
0005817376.tif 000007
【図７】
0005817376.tif 000008
【図８】
0005817376.tif 000009
【図９】
0005817376.tif 000010